(57)【要約】【課題】臀部の洗浄機能を有する携帯用便器を提供する。【解決手段】携帯用便器４０は、便器本体１０及び環状シート２０を備え、洗浄装置３０は便器本体１０の後側に設置され、両者が組み合わせられた後にＬ字体を呈し、使用者の背後を支えて身体が後に倒れるのを防止させる。また、洗浄装置３０の加圧ヘッド３２が作動して水槽３１内部の水が汲み取られ、水道管３３及びスプレーヘッド３４を経由して使用者の臀部を洗浄する。これにより、行動が不自由な者が直接ベッド上または椅子の上で排泄を行えるようになり、且つ便器を車に載せて携帯可能になる。一般的な使用者が運転中や車に乗ってる際に車内で排泄を行えるようになり、キャンプを行う者がキャンプ場内で排泄を行う際の利便性も得られる。【選択図】図２
0003211061.tif 000002
【実用新案登録請求の範囲】
【請求項１】
底面、及び前記底面の四周から上に向けて延伸し上方に開口部が形成される枠形状の壁部、前記壁部の両側に延伸するように凸設された２枚の位置決め体、及び前記壁部の後側の上端に設置される軸座を有し、前記軸座の下方の前記壁部に第一貫通孔が設けられた便器本体と、
前記便器本体の上に設置され、人体の臀部を載せ、後側には前記便器本体の前記軸座に対して枢軸が貫通することで枢着される１つ以上のラグで構成されるピボット部を有し、後側に前記第一貫通孔の上方に相対して穴が設けられ、前記便器本体の上で起き上がる、または、蓋をすると前記便器本体を扁平状にする環状シートと、
前記便器本体の後側に設置され、前記便器本体の所定の高さより高く、前記便器本体と組み合わせられた後にＬ字体を呈する洗浄装置と、を備え、
前記洗浄装置は、前側の外形は前記便器本体の後側の形状に組み合わせられるように形成され、底部は前記２枚の位置決め体に定位するように嵌着され、上部には開口部を有し、中間部には第二貫通孔を有する水槽と、
前記開口部に固持され、往復圧縮可能な押しハンドルを有し、前記水槽の内部の水の汲み取りに用いられる加圧ヘッドと、
一端が前記加圧ヘッドに連結され、他端にはスプレーヘッドが設置され、且つ前記スプレーヘッドは前記水槽の前記第二貫通孔及び前記便器本体の前記第一貫通孔を貫通し前記環状シートの前記穴に固定され、前記スプレーヘッドから噴出される水流が前記環状シートの中間部に向けられる水道管と、を備え、
前記洗浄装置が前記便器本体の後側に設置されると、使用者の背後を支えて身体が後に倒れるのを防止すると同時に、前記押しハンドルが往復作動されることにより前記水槽の内部の水が汲み取られ、前記水道管及びスプレーヘッドを経由して使用者の臀部を洗浄することを特徴とする携帯用便器。
【請求項２】
前記便器本体の前記２枚の位置決め体は内向きに湾曲されるように設けられる係合溝を備え、前記水槽の両側には前記係合溝に対して当接面が設けられ、前記水槽が前記便器本体の後側に定位するように嵌着されると共に分離可能であることを特徴とする、請求項１に記載の携帯用便器。
【請求項３】
前記便器本体の前記２枚の位置決め体は１つ以上の位置決め孔を備え、前記水槽の両側には前記位置決め孔に対してロック孔が設けられることを特徴とする、請求項１に記載の携帯用便器。
【請求項４】
前記便器本体の後側は円弧体として設置され、且つ前記水槽の前側も円弧体として設置されることを特徴とする、請求項１に記載の携帯用便器。
【請求項５】
前記便器本体の前記壁部の４つの縁部には外に向けて延伸される複数のフランジ体が設置され、前記便器本体の底部の支持面が拡大されることを特徴とする、請求項１に記載の携帯用便器。
【請求項６】
各前記フランジ体の底部には結合用の埋め込み溝がそれぞれ設けられ、支持フレームに高速に組み合わせ可能であると共に取り外して分離可能であり、前記支持フレームは複数の支持脚及び位置決めフレームで形成され、且つ前記各支持脚の上部は前記埋め込み溝に嵌入され、前記便器本体が前記支持フレームに結合され、地面から所定の距離を離間することを特徴とする、請求項５に記載の携帯用便器。
【請求項７】
前記枢軸にはねじりバネを更に備え、前記環状シートが後に向けて起き上がると、前記ねじりバネの弾力により前記環状シートが立った状態に保持されることを特徴とする、請求項１に記載の携帯用便器。
【請求項８】
前記便器本体の前側には弾性係止部が設けられ、前記環状シートの対応する位置には係止部が設けられ、前記環状シートが前記便器本体に蓋をすると、前記環状シートと前記便器本体とが相互に係止されて定位されることを特徴とする、請求項１に記載の携帯用便器。
【請求項９】
前記便器本体の前側には弾性係止部が設けられ、前記弾性係止部はフック体を備え、前記枢軸により前記便器本体の前側に枢接され、且つ前記枢軸にはバネが覆設され、前記フック体の上端のフック部が前記弾性係止部に弾性により係止されることを特徴とする、請求項１に記載の携帯用便器。
【請求項１０】
前記便器本体の前記壁部の隅部には、ビニール袋を懸架させて定位させるための複数のフックが設置されることを特徴とする、請求項１に記載の携帯用便器。
【考案の詳細な説明】
【技術分野】
【０００１】
本考案は、携帯用便器に関する。
【背景技術】
【０００２】
図１に示す従来の便器１００は、病床または家庭内での介護で最も頻繁に使用される福祉用具の１つであり、肢体が不自由な者、怪我をしている者、または手術を受けた患者がベッドの上で排便するために適用される。
【考案の概要】
【考案が解決しようとする課題】
【０００３】
しかし、従来の便器１００には臀部を洗浄する機能はなく、患者の肢体が不自由な場合は介護者が臀部の洗浄を介助するしかなく、不便であった。また、清潔に洗浄しなければ、細菌が感染する等の衛生上の問題も存在した。
【０００４】
一般人が家族と外出する場合、車で高速道路を走行中に尿意を催した場合は尿袋を使用してその場を凌ぐこともできるが、便意を催した場合は非常に不便であった。特に、高齢者や小さな子供は我慢ができないことも多い。また、キャンプが好きな者はしばしば野外で排便しなければならない。このとき、キャンプ場内ではトイレの場所が遠かったり、夜中にトイレに行くのは不便であったり、危険であったりする等の問題がある。
【０００５】
本考案は、上記の課題に鑑みなされたものであって、臀部の洗浄機能を有する携帯用便器を提供することを主目的とする。
【課題を解決するための手段】
【０００６】
本考案に係る携帯用便器は、底面、及び底面の四周から上に向けて延伸し上方に開口部が形成される枠形状の壁部、壁部の両側に延伸されるように凸設された２枚の位置決め体、及び壁部の後側の上端に設置され軸座を有し、軸座の下方の壁部に第一貫通孔が設けられた便器本体と、便器本体上に設置され、人体の臀部を載せ、後側には便器本体の軸座に対して枢軸が貫通することで枢着される１つ以上のラグで構成されるピボット部を有し、後側に第一貫通孔の上方に相対して穴が設けられ、便器本体上で起き上がる、または、蓋をすると便器本体を扁平状にする環状シートと、便器本体の後側に設置され、便器本体の所定の高さより高く、便器本体と組み合わせられた後にＬ字体を呈する洗浄装置と、を備える。
洗浄装置は、前側の外形は便器本体の後側の形状に組み合わせられるように形成され、底部は２枚の位置決め体に定位するように嵌着され、上部には開口部を有し、中間部には第二貫通孔を有する水槽と、開口部に固持され、往復圧縮可能な押しハンドルを有し、水槽内部の水の汲み取りに用いられる加圧ヘッドと、一端が加圧ヘッドに連結され、他端にはスプレーヘッドが設置され、且つスプレーヘッドは水槽の第二貫通孔及び便器本体の第一貫通孔を貫通し環状シートの穴に固定され、スプレーヘッドから噴出される水流が環状シートの中間部に向けられる水道管と、を有する。
洗浄装置が便器本体の後側に設置されると、使用者の背後を支えて身体が後に倒れるのを防止させると同時に、押しハンドルが往復作動されることにより水槽内部の水が汲み取られ、水道管及びスプレーヘッドを経由して使用者の臀部を洗浄する。
【０００７】
本考案の携帯用便器は携帯が便利であるという特性を有し、患者または一般人が何時でも何処でも誰でも使用できる。換言すれば、行動が不自由な者がベッドの上または椅子の上で直接排便可能であり、且つ臀部の洗浄には電力が要らず、本来の位置で臀部の洗浄が行えるため、衛生上便利である。また、携帯用便器は支持フレームに迅速に組み合わせて高さを増やすことができるため、より快適に使用できる。
【０００８】
また、行動が不自由な者がベッドの上または椅子の上で直接排便を行え、且つ排便後に病人が移動する必要がなく本来の位置で病人の臀部を洗浄できる。これは病人にとって快適であり、且つ尊厳も護られ、看護者の負担を軽減できる上、介護の品質も向上する。
【０００９】
外出時に車に載せて携帯可能であり、一般的な使用者が運転中や搭乗中でも車内で排便を行え、キャンプをする者にとってキャンプ場内での排便が便利になる。
【００１０】
臀部の洗浄において、モーターや他の電力が必要な部材が不要であり、手で洗浄用の押しハンドルを押すのみで、貯水槽内の水がスプレーヘッドから抽水されて臀部の洗浄に使用される。何時でも何処でも誰でも使用できるために便利であり、且つ病原菌に感染する危険性も減少させる。
【図面の簡単な説明】
【００１１】
【図１】従来の便器を示す斜視図である。
【図２】本考案の携帯用便器を示す分解斜視図である。
【図３】本考案の一実施形態による、環状シートが起き上がる状態を示す説明図である。
【図４】本考案の一実施形態による、環状シートが蓋をする状態を示す説明図である。
【図５】本考案の携帯用便器の底部構成を示す斜視図である。
【図６】本考案の携帯用便器を示す平面図である。
【図７】図６に示す７−７を示す断面図である。
【図７Ａ】図７における７Ａを示す拡大図である。
【図８】図６に示す８−８から見る本考案の洗浄装置の後部構成を示す説明図である。
【図９】本考案の携帯用便器が病床に使用される状態を示す参考図である。
【図１０】本考案の携帯用便器が椅子に使用される状態を示す参考図である。
【図１１Ａ】本考案の携帯用便器及び支持フレ−ムの分解斜視図である。
【図１１Ｂ】本考案の携帯用便器が支持フレ−ムに設置された状態を示す参考図である。
【考案を実施するための形態】
【００１２】
(一実施形態)
以下、本考案の具体的な実施形態を図２〜８に基づいて説明する。本考案に係る携帯用便器４０は、底面１１及び底面１１の四周から上に向けて延伸されるように構成される枠形状の壁部１２を具備する便器本体１０を備え、且つ壁部１２の上方には開口部１３が形成され、壁部１２の後側の上端には軸座１４が設置される。
【００１３】
また、環状シート２０は便器本体１０に設置され、人体の臀部が載せられる。環状シート２０の後側には便器本体１０の軸座１４に対して枢着されるピボット部２１が設けられ、ピボット部２１は１つ以上のラグで構成され、且つ枢軸１５が貫通させることにより枢着され、環状シート２０が便器本体１０で起き上がるまたは蓋をするようになる。本実施形態では、枢軸１５はねじりバネ１５１を更に備え、環状シート２０が後に向けて起き上がると、ねじりバネ１５１の弾力により環状シート２０が立った状態に保持され、その詳細な構造は後述する。
【００１４】
本実施形態では、便器本体１０は扁平状になり、軸座１４の下方の壁部には第一貫通孔１６が設けられ、環状シート２０の後側には第一貫通孔１６の上方に対して穴２２が設けられる。便器本体１０の後の壁部の両側には２枚の位置決め体１７が延伸されるように凸設される。本実施形態では、便器本体１０の壁部１２の４つの縁部には外に向けて延伸される複数のフランジ体１８が設置され、便器本体１０の底部の支持面が増える。図５に示すように、各フランジ体１８の底部には結合用の埋め込み溝１８１がそれぞれ設けられる。
【００１５】
なお、洗浄装置３０は便器本体１０の後側に設置され、便器本体１０の所定の高さより高くなり、両者が組み合わせられた後にＬ字体を呈する。洗浄装置３０は、前側の外形は便器本体１０の後側の形体に組み合わせられるように構成され、互いに密接するようになる水槽３１である。本実施形態においては、便器本体１０の後側の壁部１２は円弧体１２ａとして設けられ、且つ水槽３１の前側も対応するように円弧体３１３として設けられる。また、水槽３１の底部は２枚の位置決め体１７に定位するように嵌着される。水槽３１は、上部に開口部３１１、中間部には第二貫通孔３１２、及び開口部３１１に固持され往復圧縮可能な押しハンドル３２１を有する。水槽３１が備える水道管３１は、一端に水槽３１内部の水の汲み取りに用いられる加圧ヘッド３２が連結され、他端にはスプレーヘッド３４が設置される。スプレーヘッド３４が水槽３１の第二貫通孔３１２及び便器本体１０の第一貫通孔１６を貫通させた後に環状シート２０の穴２２に固定され、スプレーヘッド３４から噴出される水流が環状シート２０の中間部に向けられる。
【００１６】
本実施形態では、便器本体１０の２枚の位置決め体１７は１つ以上の位置決め孔１７１を更に備え、水槽３１の両側には位置決め孔１７１に対応するようにロック孔３１４が設けられ、ねじ(図示せず)により両者が螺合される。他の実施形態では、便器本体１０の２枚の位置決め体１７は係合溝１７２を更に備え、水槽３１の両側には係合溝１７２に対応するように内向きに湾曲される当接面３１５が設けられ、位置決め体１７に嵌着されて結合され、水槽３１が便器本体１０の後側に分離可能になるように定位される。
【００１７】
図７及び図７Ａに示すように、便器本体１０の前側には弾性係止部１９が設けられ、環状シート２０の対応する位置には係止部２３が設けられ、環状シート２０が便器本体１０に蓋をさせると、その両者が相互に係止されて定位される。本実施形態において、弾性係止部１９はフック体１９１を備え、枢軸１９２により便器本体１０の前側に枢接され、且つ枢軸１９２にはバネ１９３が覆設され、フック体１９１の上端のフック部１９４が常態では係止部２３に弾性により係止される。よって、環状シート２０が弾性係止部１９により定位され、便器本体１０に安定的に定位される。
【００１８】
本実施形態では、便器本体１０の壁部１２の端の隅部には複数のフック１２１が設置され、ビニール袋Ｂ(破線で示す)を懸架させて定位させるために使用される。これにより、使用者の排泄物がビニール袋Ｂに入り、且つ洗浄装置３０のスプレーヘッド３４から水が噴出されて使用者の臀部が直接洗浄される。また、ビニール袋Ｂの取り出しまたは交換では、弾性係止部１９のフック体１９１を押すのみで、上端のフック部１９４が係止部２３から脱離され、この際に枢軸１５のねじりバネ１５１の弾力により環状シート２０が後に向けて起こされ、且つ図３に示すような立った状態に保持されて前に傾倒しなくなり、ビニール袋Ｂが交換された後に環状シート２０が前に向けて便器本体１０に蓋をさせ、使用状態が元に戻る。
【００１９】
図８には洗浄装置３０の後部構成を図示する。本考案はモーターや電力が不要であり、押しハンドル３２１を把持するのみで往復作動され、圧力が生まれて水槽３１内部の水(ｗ)が汲み取られ、水道管３３及びスプレーヘッド３４を経由させて使用者の臀部を洗浄させる。押しハンドル３２１の往復作動により抽水が行われ、これは一般的な流体力学及び機構学の吸引の原理であるため、既知の技術であり、その説明は省略する。本考案はこの原理を利用して、水槽３１から加圧ヘッド３２を利用して抽水が行われ、モーターや電力を使用せずに何時でも何処でも臀部を洗浄可能にする目的を達成させる。
【００２０】
上記の技術的特徴により、携帯用便器４０は洗浄装置３０が便器本体１０の後側に設置される。すなわち、洗浄装置３０の水槽３１は貯水機能を有するほか、同時に使用者の背後を支える背もたれとし、身体が後に倒れる危険性を防ぐ。
【００２１】
図９は携帯用便器４０が病床６０に使用される状況を示す参考図である。使用においては、患者を病床６０に座らせて、臀部を少し持ち上げて、携帯用便器４０を患者の臀部の下方に敷いて使用する。患者が排便を終えると、その場で臀部が洗浄されるため、非常に便利で衛生的である。
【００２２】
図１０は携帯用便器４０が椅子７０に使用される状況を示す参考図である。一般人や患者が車やバスに搭乗中に排便したい場合、携帯用便器４０は車に載せて携帯可能であるため、何処でも取り出して使用可能できる。
【００２３】
前述の２つの使用方式は携帯用便器４０が病床６０や椅子７０に設置されるため、便器本体１０の高さが丁度良くなる。但し、外出してキャンプで使用する場合、図１１Ａ及び図１１Ｂに示す携帯用便器４０が支持フレームに使用される状況の参考図のように、フランジ体１８の底部には結合用の埋め込み溝１８１がそれぞれ設けられ、支持フレーム５０に高速に組み合わせ可能であると共に取り外して分離可能である。支持フレーム５０は複数の支持脚５１及び位置決めフレーム５２で構成され、且つ各支持脚５１の上部５１１は埋め込み溝１８１に嵌入され、便器本体１０が支持フレーム５０に結合され、地面から所定の高さ離間される。これにより、使用者は椅子の上に座るようにして排便できる。
【００２４】
上記の技術手段により、本考案の携帯用便器４０は携帯が便利であるという特性を有し、行動が不自由な者が病床６０や椅子７０の上で直接排便が可能になる。また、臀部を洗浄する場合、モーターや電力を使用せずに本来の位置で臀部を洗浄でき、衛生的で便利である。なお、携帯用便器は支持フレーム５０に迅速に組み合わせることができて、こうすると高さが増し、より快適に使用できる。
【００２５】
以上、本考案の実施形態について図面を参照して詳述したが、その構成の全てが、本考案の必須要件であるとは限らない。また、具体的な構成はこの実施形態に限られるものではなく、本考案の要旨を逸脱しない範囲の設計変更等も含まれる。上記実施形態は実用新案登録請求の範囲に記載された本考案の内容を限定するものではない。
【符号の説明】
【００２６】
１０  便器本体
１１  底面
１２  壁部
１２１  フック
１２ａ  円弧体
１３  開口部
１４  軸座
１５  枢軸
１５１  ねじりバネ
１６  第一貫通孔
１７  位置決め体
１７１  位置決め孔
１７２  係合溝
１８  フランジ体
１８１  埋め込み溝
１９  弾性係止部
１９１  フック体
１９２  枢軸
１９３  バネ
１９４  フック部
２０  環状シート
２１  ピボット部
２２  穴
２３  係止部
３０  洗浄装置
３１  水槽
３１１  開口部
３１２  第二貫通孔
３１３  円弧体
３１４  ロック孔
３１５  当接面
３２  加圧ヘッド
３２１  押しハンドル
３３  水道管
３４  スプレーヘッド
４０  携帯用便器
５０  支持フレーム
５１  支持脚
５１１  上部
５２  位置決めフレーム
６０  病床
７０  椅子
Ｂ  ビニール袋
【図１】
0003211061.tif 000003
【図２】
0003211061.tif 000004
【図３】
0003211061.tif 000005
【図４】
0003211061.tif 000006
【図５】
0003211061.tif 000007
【図６】
0003211061.tif 000008
【図７】
0003211061.tif 000009
【図７Ａ】
0003211061.tif 000010
【図８】
0003211061.tif 000011
【図９】
0003211061.tif 000012
【図１０】
0003211061.tif 000013
【図１１Ａ】
0003211061.tif 000014
【図１１Ｂ】
0003211061.tif 000015